(57)【要約】【課題】この発明は、ＯＳＤ画像がより見やすくなる画像再生装置を提供することを目的とする。【解決手段】画像再生装置において、再生画像上にＯＳＤ画像を表示する機能を有する画像再生装置において、表示画面から視覚者までの距離を設定するための設定手段、およびＯＳＤ画像におけるバックグラウンド部の透明度を、設定手段によって設定された表示画面から視覚者までの距離に応じて制御する制御手段を備えている。【選択図】  図１
2004186954.tif 000002
【特許請求の範囲】
【請求項１】
再生画像上にＯＳＤ画像を表示する機能を有する画像再生装置において、
表示画面から視覚者までの距離を設定するための設定手段、および
ＯＳＤ画像におけるバックグラウンド部の透明度を、設定手段によって設定された表示画面から視覚者までの距離に応じて制御する制御手段、
を備えていることを特徴とする画像再生装置。
【請求項２】
制御手段は、設定手段によって設定された表示画面から視覚者までの距離が大きいほど、ＯＳＤ画像におけるバックグラウンド部の透明度を低く設定するものであることを特徴とする請求項１に記載の画像再生装置。
【請求項３】
再生画像上にＯＳＤ画像を表示する機能を有する画像再生装置において、
表示画面から視覚者までの距離を設定するための設定手段、および
ＯＳＤ画像のバックグラウンドの色を通常時と異なる色に変化させることにより、ＯＳＤ画像をハイライト状態にさせる場合において、ＯＳＤ画像におけるバックグラウンド部の明度を、設定手段によって設定された表示画面から視覚者までの距離に応じて制御する制御手段、
を備えていることを特徴とする画像再生装置。
【請求項４】
制御手段は、設定手段によって設定された表示画面から視覚者までの距離が大きいほど、ＯＳＤ画像におけるバックグラウンド部の明度を高く設定するものであることを特徴とする請求項３に記載の画像再生装置。
【請求項５】
制御手段は、ＯＳＤ画像におけるバックグラウンド部の色調および／または彩度を、設定手段によって設定された表示画面から視覚者までの距離に応じて制御する手段を、さらに備えていることを特徴とする請求項３および４のいずれかに記載の画像再生装置。
【発明の詳細な説明】
【０００１】
【発明の属する技術分野】
この発明は、ＤＶＤプレーヤ等の画像再生装置に関する。
【０００２】
【従来の技術】
圧縮された映像信号や音声信号からなるビットストリームを通信媒体を介して読み取って、映像信号や音声信号にデコードして再生する、あるいは圧縮された映像信号や音声信号からなるビットストリームが記録された記録媒体からビットストリームを読み取って、映像信号や音声信号にデコードして再生するといったデジタル画像再生装置が知られている。
【０００３】
このようなデジタル画像再生装置の代表的なものとしてＤＶＤプレーヤがある。ＤＶＤプレーヤで用いられるＤＶＤは、アナログの記録媒体やこれまでの低情報量のＣＤとは異なり大容量を実現しているため、多彩な情報が盛り込まれている。ＤＶＤプレーヤでは、このような多彩な情報を有効に活用するために、多くの機能や設定を有するようになった。多くの機能や設定は、ＤＶＤの再生画面上にＯＳＤ画像としてオンスクリーン表示される。
【０００４】
このように、ＯＳＤ画像は、ＤＶＤの再生画面上にオンスクリーン表示されるが、表示画面からユーザの視聴位置までの距離によっては、ＯＳＤ画像がみずらくなるという問題がある。テレビジョン受像機においては、画面全体を見やすくするために、表示画面からユーザの視聴位置までの距離に応じて、画面全体の色あいを調整するようなものがあるが、画面全体ではなく、ＯＳＤ画像のみを見やすくしようとするものはない。
【０００５】
【発明が解決しようとする課題】
この発明は、ＯＳＤ画像がより見やすくなる画像再生装置を提供することを目的とする。
【０００６】
【課題を解決するための手段】
請求項１に記載の発明は、再生画像上にＯＳＤ画像を表示する機能を有する画像再生装置において、表示画面から視覚者までの距離を設定するための設定手段、およびＯＳＤ画像におけるバックグラウンド部の透明度を、設定手段によって設定された表示画面から視覚者までの距離に応じて制御する制御手段を備えていることを特徴とする。
【０００７】
請求項２に記載の発明は、請求項１に記載の画像再生装置において、制御手段は、設定手段によって設定された表示画面から視覚者までの距離が大きいほど、ＯＳＤ画像におけるバックグラウンド部の透明度を低く設定するものであることを特徴とする。
【０００８】
請求項３に記載の発明は、再生画像上にＯＳＤ画像を表示する機能を有する画像再生装置において、表示画面から視覚者までの距離を設定するための設定手段、およびＯＳＤ画像のバックグラウンドの色を通常時と異なる色に変化させることにより、ＯＳＤ画像をハイライト状態にさせる場合において、ＯＳＤ画像におけるバックグラウンド部の明度を、設定手段によって設定された表示画面から視覚者までの距離に応じて制御する制御手段を備えていることを特徴とする。
【０００９】
請求項４に記載の発明は、請求項３に記載の画像再生装置において、制御手段は、設定手段によって設定された表示画面から視覚者までの距離が大きいほど、ＯＳＤ画像におけるバックグラウンド部の明度を高く設定するものであることを特徴とする。
【００１０】
請求項５に記載の発明は、請求項３乃至４に記載の画像再生装置において、制御手段は、ＯＳＤ画像におけるバックグラウンド部の色調および／または彩度を、設定手段によって設定された表示画面から視覚者までの距離に応じて制御する手段を、さらに備えていることを特徴とする。
【００１１】
【発明の実施の形態】
以下、図面を参照して、この発明をＤＶＤ再生装置に適用した場合の実施の形態について説明する。
【００１２】
図１は、ＤＶＤ再生装置の概略構成を示している。
１１は、ＤＶＤディスクである。１はＤＶＤディスク１１から情報を読みとるドライブ部である。２はドライブ部１から受信したビットストリームを、音声情報、ビデオ情報、サブピクチャ情報（字幕情報）等に分離するデマルチプレクサである。デマルチプレクサ２によって分離された各情報は圧縮された情報である。
【００１３】
３は、デマルチプレクサ２によって得られた圧縮音声情報を伸長するオーディオデコーダである。４はデマルチプレクサ２によって得られた圧縮ビデオ情報および圧縮サブピクチャ情報を伸長するビデオデコーダである。８は、ＯＳＤ画像（図形情報）を生成するオンスクリーン生成部である。
【００１４】
９は、ビデオデコーダ４から出力されるビデオ情報およびサブピクチャ情報ならびにオンスクリーン生成部８から出力されるＯＳＤ画像をミキシングするビデオミキサーである。
【００１５】
６はシステム全体を制御しているＣＰＵである。７は、メモリである。５は、ユーザインタフェース部である。ＣＰＵ６には、デマルチプレクサ２からヘッダ情報が送られる。また、ＣＰＵ６には、ユーザインタフェース部５を介してリモコンまたは本体に設けられた操作部のキー操作に応じた操作信号が入力する。
【００１６】
この実施の形態では、初期設定において、ユーザは、予め、表示画面からユーザの視聴位置までの距離を登録（設定）するようになっている。ＣＰＵ６は、予め登録された表示画面からユーザの視聴位置までの距離に基づいて、ＯＳＤ画像の色あいを制御する。
【００１７】
以下、予め登録された表示画面からユーザの視聴位置までの距離に基づいて、ＯＳＤ画像の色あいを制御する場合の実施例について説明する。
【００１８】
（１）第１の実施例
図２は、オンスクリーン生成部８で生成される図形情報の一例を示している。この例では、図形情報は、”ＯＰＥＮ”という文字の背景であるバックグラウンド部２１、”ＯＰＥＮ”という文字の輪郭部２２および”ＯＰＥＮ”という文字の輪郭内部である本体部２３とから構成されている。
【００１９】
各部分の配色は、Ｒ，Ｇ，Ｂの取る範囲を０〜２５５とすると、次のように設定されている。つまり、バックグラウンド部２１の配色は、Ｒ＝Ｇ＝Ｂ＝１０２というように、灰色に設定されている。輪郭部２２の配色は、Ｒ＝Ｇ＝Ｂ＝３０というように、黒に近い色に設定されている。本体部２３の配色は、Ｒ＝Ｇ＝Ｂ＝２２０というように、白に近い色に設定されている。
【００２０】
第１の実施例では、バックグラウンド部２１の透明度が、予め登録された表示画面からユーザの視聴位置までの距離に基づいて調整される。つまり、図３に示すように、バックグラウンド部２１の透明度は、表示画面からユーザの視聴位置までの距離（単位はｍ）が小さい場合には高くなり、表示画面からユーザの視聴位置までの距離が大きい場合には低くなるように調整される。
【００２１】
つまり、バックグラウンド部２１に対して本体部２３および輪郭部２２のコントラストを高めるためには、バックグラウンド部２１の透明度を低くした方がよい。しかしながら、表示画面からユーザの視聴位置までの距離が近い場合には、コントラストが低くても、本体部２３および輪郭部２２を認識できるため、バックグラウンド部２１の透明度を高くしている。一方、表示画面からユーザの視聴位置までの距離が遠い場合には、コントラストを高くする必要があるため、バックグラウンド部２１の透明度を低くしている。
【００２２】
（２）第２の実施例
オンスクリーン生成部８で生成される図形情報が図２に示すようなものであるものとする。各部分の配色も、第１の実施例で示したものと同様であるとする。
【００２３】
たとえば、ユーザがカーソルで図形情報を指定した場合等のように、図形情報がハイライト状態にされる場合がある。具体的には、ハイライト状態では、図形情報中のバックグラウンド部２１の色が、例えば、黄色に変化せしめられる。
【００２４】
第２の実施例では、ハイライト状態において、バックグラウンド部２１の色が黄色に変化せしめられるとともに、バックグラウンド部２１の明度が、予め登録された表示画面からユーザの視聴位置までの距離に基づいて調整される。つまり、図４に示すように、バックグラウンド部２１の明度は、表示画面からユーザの視聴位置までの距離（単位はｍ）が小さい場合には暗くなり、表示画面からユーザの視聴位置までの距離が大きい場合には明るくなるように調整される。距離が遠いほどバックグラウンド部２１の明度を高くしているのは、バックグラウンド部２１の明度が高いほど見やすくなるからである。
【００２５】
なお、ハイライト状態において、図５に示すように、バックグラウンド部２１の明度だけではなく、色調および彩度も、予め登録された表示画面からユーザの視聴位置までの距離に応じて調整するようにしてもよい。
【００２６】
上記実施の形態では、表示画面からユーザの視聴位置までの距離をユーザによって登録させているが、各スピーカ間の遅延時間を設定するために各スピーカからユーザの視聴位置までの距離をユーザに入力させるようなＤＶＤ再生装置においては、ユーザによって入力されるセンタスピーカからユーザの視聴位置までの距離を、表示画面からユーザの視聴位置までの距離として採用するようにしてもよい。
【００２７】
【発明の効果】
この発明によれば、ＯＳＤ画像がより見やすくなる。
【００２８】
【図面の簡単な説明】
【図１】ＤＶＤ再生装置の概略構成を示すブロック図である。
【図２】オンスクリーン生成部８で生成される図形情報の一例を示す模式図である。
【図３】図形情報の本体部２３および輪郭部２２の透明度と、予め登録された表示画面からユーザの視聴位置までの距離との関係を示す表である。
【図４】ハイライト状態において、バックグラウンド部２１の明度と、予め登録された表示画面からユーザの視聴位置までの距離との関係を示す表である。
【図５】ハイライト状態において、バックグラウンド部２１の色調、彩度および明度と、予め登録された表示画面からユーザの視聴位置までの距離との関係を示す表である。
【符号の説明】
１  ドライブ部
２  デマルチプレクサ
３  オーディオデコーダ
４  ビデオデコーダ
５  ユーザインタフェース部
６  ＣＰＵ
７  メモリ
８  オンスクリーン生成部
９  ビデオミキサー
【図１】
2004186954.tif 000003
【図２】
2004186954.tif 000004
【図３】
2004186954.tif 000005
【図４】
2004186954.tif 000006
【図５】
2004186954.tif 000007